(57)【要約】  【課題】    １つの器材で異なる傾斜面に自動販売機を据付ることが可能な傾斜面設置用器材を開発すること  【解決手段】      上部チャンネル部１と設定（据付）面への下部取付部３とから成り、上部チャンネル部１の両側面には対角位置に各１ヶづつ取付位置調整穴６、６´、７及び７´が設けられ、下部取付部３には、蝶番（ヒンジ）８及び９が両端に設けられ、且つ該蝶番（ヒンジ）８及び９には夫々取付用ネジ穴１０、１０´、１１、１１´、１２及び１２´が設けられており、上部チャンネル部１と下部取付部３とを、蝶番（ヒンジ）８及び９の取付穴と上部チャンネル１に設けられた取付位置調整穴とをボルトで固定しうるようになした鋼鉄製自動販売機の傾斜面設置固定材。   【選択図】  図５
2005062980.tif 000002
【特許請求の範囲】
【請求項１】
上部チャンネル部１と設定（据付）面への下部取付部３とから成り、上部チャンネル部１の両側面には対角位置に各１ヶづつ取付位置調整穴６、６´、７及び７´が設けられ、下部取付部３には、蝶番（ヒンジ）８及び９が両端に設けられ、且つ該蝶番（ヒンジ）８及び９には夫々取付用ネジ穴１０、１０´、１１、１１´、１２及び１２´が設けられており、上部チャンネル部１と下部取付部３とを、蝶番（ヒンジ）８及び９の取付穴と上部チャンネル１に設けられた取付位置調整穴とをボルトで固定しうるようになした鋼鉄製自動販売機の傾斜面設置固定材。
【発明の詳細な説明】
【技術分野】
【０００１】
本発明は自動販売機を傾斜面に据付けるときに用いる器材に関する
【背景技術】
【０００２】
本発明は、自動販売機類の傾斜面への設置（据付）用器材に関し、特に傾斜などのある据付け面への据付に好適な器材に関する。
【０００３】
従来自動販売機を据付けるに際して、その据付け面の状態によって平面でない据付面に於いては、レベリングスクリューを用いても、自動販売機を垂直状態に据付けることが出来ないので、挾み材を使用して高さ調整することが提案されている。
【０００４】
このような段差や傾斜のある据付け面への自動販売機の据付け構造として、従来より種々の構造が採用されている。
【０００５】
たとえば、自動販売機の足と据付け面との間にコンクリートブロック製の挾み材をおき、これを足と据付け面と一緒にモルタルにて一体化するもの、コンクリートブロック製の挾み材をコンクリート用接着材を用いて据付け面に接合したもの（但し自動販売機の足が単に挾み材の上に載置されたもの）、更に鋼板製の挾み材をアンカーボルトを用いて据付け面に固定し、自動販売機の足が単に挾み材の上面に載置されるようにしたもの等である。
【０００６】
しかしながら、従来のモルタルを使用する方法では、モルタルを用いて固定するため、施工に多くの手間と固化に多くの時間を要して時間がかかるという欠点があった。また、モルタルを用いて固定するために、自動販売機の外観体裁を悪くするという問題もあった。
【０００７】
自動販売機の足が単に挾み材の上面に載置されているだけのものでは、自動販売機の足が固定されていないので著しく不安定であり、自動販売機が転倒して人身事故を起こす危険性もあった。特に、近時の自動販売機は街の美感向上等の点から薄型化されており、転倒防止策への配慮が非常に重要となっている。
【０００８】
加えて鋼鉄製の従来の挾み材に於いては、上記固定されていない（自動販売機の足が）という大きな難点に加えて、更に据付け面の傾斜に合わせて、挾み材の傾斜をいちいち合わせたものを夫々その都度毎に製作しなければならないという大きな難点があった。
【発明の開示】
【発明が解決しようとする課題】
【０００９】
本発明は、上記のような従来の難点を改良すためになされたものであって、特に鉄鋼製の挾み材の傾斜面を据付け面の傾斜といちいち調整したものを製作するという上記難点を改良するものであって、更に詳しくは、いちいち製作しなくても１つの挾み材で据付け面の傾斜に適応出来ると共に自動販売機の足が強固に固定出来る器材を開発し、惹いては安全性の高い据付け状態を実現することが可能となる挾み材を開発することである。
【課題を解決するための手段】
【００１０】
本発明の自動販売機類の傾斜面設置用器材（挾み材）は鉄鋼製であって、下記の構造から成っている。即ち、図１及び図２に示す通り、本器材は上部チャンネル部１と下部設置（据付）面２への取り付部３とで構成されるものであり、下部取付部３は傾斜面角度を調整するための蝶番（ヒンジ）８及び９を両端に有している。そして、上部チャンネル部１の両側面４及び５には、対角の位置に各１ヶ所、取付位置調整穴６及び６´、７及び７´を設けてあり、下部蝶番（ヒンジ）８及び９側には、取付用ネジ穴１０、１０´、１１、１１´１２及び１２´を各々３ヶ所もうけたものである。
【００１１】
この器材の施工方法は、たとえば図５及び６に示す通り、先ず、上部チャンネル部１の両側面に設けた調整穴６及び７、６´及び７´に対応する取付用ネジ穴１０、１０´及び１２、１２´に、ボルト（たとえばＭ１０ボルト）で下部取付部３を組み立てて設置（据付）面の傾斜角度位置に調整後、残りの各２ヶ所の取付用ネジ穴１１及び１１´に上部チャンネル部１の両側面を１０．５ｍｍのキリ（ドリル）で穴をあけ、ボルト（Ｍ１０ボルト）でヒンジとチャンネルとを固定する。
【００１２】
尚、コンクリート傾斜面へは、下部のヘリあき寸法を有した穴１３、１３´で、２ヶ所あと施工アンカーを打設して固定する。
【００１３】
また上部チャンネル部分１の上面には、自動販売機（図示せず）を固定するための穴１４及び１５を設けてある。
【００１４】
本発明の器材を図面を参照しつつ更に詳しく説明する。
【００１５】
図７は傾斜面に自動販売機を据付る場合の代表的な据付工事の説明図であり、傾斜面１７に自動販売機１６を据付ける場合に、本発明傾斜面設置用器材１８を使用して図７の如く据付けるものである。
【００１６】
本器材１８はすでに上記で説明した通り、上部チャンネル部１と下部取付部３とで構成され、下部取付部３の両端に設けた蝶番（ヒンジ）８及び９により、上部チャンネル部１と下部取付部３とを据付るべき傾斜面１７の傾斜の角度に合せて調節して固定する。
【００１７】
そして、上部チャンネル部１の側面４及び５に設けられた取付位置調節穴６、６´、７及び７´に、ボルト（たとえばＭ１０ボルト）を用いて、蝶番（ヒンジ）８及び９に設けられた取付用ネジ穴１０、１０´、１２及び１２´に固定する。この際、調整穴６、６´、７及び７´はボルトが上下に移動出来るように縦長に形成されており、傾斜面の傾斜に合わせて、両者を（上部チャンネル部分１の調節穴と蝶番の取付け穴とを）所定の傾斜に調整して固定する。そして、上部チャンネル部（１）の側面４及び５に穴をあけて、蝶番（ヒンジ）に設けた残りの取付け穴１１及び１１´とで上部チャンネル部１と蝶番（ヒンジ）とを固定する。
【００１８】
なお傾斜面１７に本発明器材１８を取付けるに際しては、本発明器材１８に設けられたヘリあき寸法を有した穴１３、１３´を用いて傾斜面に施工アンカーを打設して固定する。
【発明の効果】
【００１９】
本発明の傾斜面設置用器材１８は、傾斜面の角度が異なる数多くの傾斜面に対しても、その傾斜角度を調整して設置することが出来る。このため従来の如く、傾斜面の角度に合わせて１つ１つ別々に数多くの器材を製作しなければならないという大きな難点が全くなくなる大きな効果がある。
【発明を実施するための最良の形態】
【００２０】
本発明の器材は傾斜面の角度が異なる種々の傾斜面に対しても、従来の如く１つ１つその角度に合わせて器材を製作する必要がなく、蝶番を用いて傾斜面の角度に合わせて、器材の上部チャンネル部と下部取付部とを固定出来るために、１つで種々の傾斜面に対応して使用することが出来る。
【実施例】
【００２１】
図１、図５及び図６に示すように上部チャンネル部１を厚み約５ｍｍの鉄鋼版を用いて調整した。この上部チャンネル部１の側面４及び５には夫々取付位置調整用穴６、６´及び７、７´を設ける。この調整用穴６、６´、７、７´は縦長のダ円形の形状であって、上下に５〜７０ｍｍの巾でボルトを適宜な位置で固定出来るようになっている。また上部チャンネル部１の上面には自動販売機を固定するために穴１４及び１５が設けられている。
【００２２】
下部取付部３も上部チャンネル部１と同様に厚み約５ｍｍの鉄鋼版を用いて製作されており、その両端に蝶番（ヒンジ）８及び９が設置されている。そして蝶番（ヒンジ）８及び９には取付穴１０、１０´、１１、１１´及び１２、１２´が設けている（なお１１、１１´は取付け時に設けられる）。
【００２３】
この両者をすでにのべた通りの取付方法で図７の如き傾斜面に据付た所、強固にしかも容易に据付出来た。
【図面の簡単な説明】
【００２４】
【図１】図１は本発明の傾斜面設置用器材の上部チャンネル部１の説明図である。
【図２】図２は本発明の器材の上部チャンネル部１の右側面図である。
【図３】図３は本発明器材の上部チャンネル部１の上面図である。
【図４】図４は本発明の下部取付部３の説明図である。
【図５】図５は上部チャンネル部１の斜視図である。
【図６】図６は下部取付部３の斜視図である。
【図７】図７は自動販売機を傾斜面に据付ける場合の説明図である。
【符号の説明】
【００２５】
１    上部チャンネル部
２    傾斜面
３    本発明器材
４    上部チャンネル部１の左側面
５    同上右側面
６    調整用穴
７    調整用穴
８    蝶番（ヒンジ）
９    蝶番（ヒンジ）
１０    取付用穴
１０´  取付用穴
１１    取付用穴
１１´  取付用穴
１２    取付用穴
１２´  取付用穴
１３    据付用穴
１３´  据付用穴
１４    自動販売機固定用穴
１５    自動販売機固定用穴
１６    自動販売機
１７    傾斜面の一例
１８    本発明器材
【図１】
2005062980.tif 000003
【図２】
2005062980.tif 000004
【図３】
2005062980.tif 000005
【図４】
2005062980.tif 000006
【図５】
2005062980.tif 000007
【図６】
2005062980.tif 000008
【図７】
2005062980.tif 000009